(57)【要約】【課題】低コストで、施工性も良好な、強度に優れた改修外壁構造における胴縁の継ぎ部取付金具を提供する。【解決手段】垂直平面状の固定面Ｂ１と、該固定面Ｂ１の上端部分を屋外側へ突出した上補強片Ｂ２と、固定面Ｂ１の途中を水平方向にかつ屋外側へ突出した立ち上がり片Ｂ３と、立ち上がり片Ｂ３の先端を下方に垂下した施工面Ｂ４と、施工面Ｂ４の下端を屋内側に突出した下補強片Ｂ５と、固定面Ｂ１の左右両端部の施工面の位置を外方に突出した施工位置確認片Ｂ６とから形成した改修外壁構造における胴縁の継ぎ部取付金具Ｂである。【選択図】図１
2020147947.tif 000002
【特許請求の範囲】
【請求項１】
垂直平面状の固定面と、該固定面の上端部分を屋外側へ突出した上補強片と、固定面の途中を水平方向にかつ屋外側へ突出した立ち上がり片と、該立ち上がり片の先端を下方に垂下した施工面と、該施工面の下端を屋内側に突出した下補強片と、固定面の左右両端部の施工面の位置を外方に突出した施工位置確認片とから形成したことを特徴とする改修外壁構造における胴縁の継ぎ部取付金具。
【発明の詳細な説明】
【技術分野】
【０００１】
本発明は改修外壁構造における胴縁の継ぎ部取付金具に関するものである。
【背景技術】
【０００２】
従来、外壁の改修において、古くなった既存外壁材を撤去することなく、既存外壁材上に新規胴縁を配し、その新規胴縁上に新規外壁を施工する改修方法いわゆるカバー工法が知られている。（特許文献１）また、このような既存外壁材上に新規胴縁を配する際に、あらかじめ胴縁取付用のアタッチメントを既存外壁材上に設置し、そのアタッチメントに新規胴縁を取り付ける方法が知られている。（特許文献２）
【先行技術文献】
【特許文献】
【０００３】
【特許文献１】特開２００１−１０７５３５号公報
【特許文献２】特開２０１５−６７９８３号公報
【発明の概要】
【発明が解決しようとする課題】
【０００４】
特許文献１は、既存外壁材上に配した胴縁と、胴縁上に固定して既存外壁材を覆うように配した新規外壁材から構成され、胴縁を固定する固定具は既存外壁材を貫通して既存外壁材を支持する下地に打ち込まれている改修外壁構造における胴縁の継ぎ部取付金具である。
【０００５】
しかしながら、このように胴縁を固定具を用いて直接既存外壁材を支持する下地に固定する方法では、胴縁を固定する際に、長尺状の胴縁を保持、扱ったりしながら、取り付け位置の調整や、既存外壁材の裏側にある下地まで直接胴縁の固定を行わなければならず、取り付け作業が大変であった。
【０００６】
そこで、特許文献２のような、躯体の壁面に胴縁取り付け用のアタッチメントを固定し、そのアタッチメントに金属胴縁を固定する方法がある。
【０００７】
この、特許文献２のアタッチメントは、金属製の板材を長手方向の処々において屈曲することで、壁面にアンカーボルトによって固定される基板部と、前記基板部から屈曲されて前記壁面から離間するように延びる内壁部と、前記内壁部と一体をなし、前記内壁部から前記基板部と平行になるように前記長手方向の端側で屈曲されて延びる胴縁を取り付ける支持部と、前記支持部と一体をなし、前記支持部から前記長手方向の端側で屈曲されて前記壁面に近づくように延びる外壁部とを有するアタッチメント、若しくは、これを左右対称状に形成したアタッチメントである。
【０００８】
しかしながら、この特許文献２で開示されているアタッチメントでは、その形状が金属製の板材を長手方向の処々において屈曲しただけの単純な形状であるため、外力に対する強度が足りず、例えば胴縁取り付け時等の強度が不足し、外力によって変形してしまう可能性があった。
【０００９】
さらに、この特許文献２に開示されている外装材の施工方法では、躯体の壁面にアンカーボルトで胴縁取り付け用アタッチメントを固定するため、固定に使う壁面の劣化や強度不足、取付強度の不足といった問題があった。
【課題を解決するための手段】
【００１０】
本発明はこのような課題を解決するために、以下の手段を提供している。
【００１１】
垂直平面状の固定面と、該固定面の上端部分を屋外側へ突出した上補強片と、固定面の途中を水平方向にかつ屋外側へ突出した立ち上がり片と、立ち上がり片の先端を下方に垂下した施工面と、施工面の下端を屋内側に突出した下補強片と、固定面の左右両端部の施工面の位置を外方に突出した施工位置確認片とから形成した改修外壁構造における胴縁の継ぎ部取付金具を提供するものである。
【発明の効果】
【００１２】
本発明に係る改修外壁構造における胴縁の継ぎ部取付金具によれば、（１）低コストである。（２）施工性が良好である。（３）強度に優れた改修外壁構造となる。（４）地震時のＡＬＣのスライド現象（ドライロッキング構法の場合）に追従し、耐震性が向上する。
【図面の簡単な説明】
【００１３】
【図１】本発明に係る改修外壁構造における胴縁の継ぎ部取付金具の一実施例を示す斜視図である。
【図２】本発明に係る改修外壁構造における胴縁の継ぎ部取付金具の一実施例を示す説明図である。
【図３】本発明に係る改修外壁構造における胴縁の継ぎ部取付金具で施工する改修壁構造の施工順序の状態を示す水平方向の断面図である。
【図４】本発明に係る改修外壁構造における胴縁の継ぎ部取付金具で施工する改修壁構造の施工状態を示す斜視図と断面図である。
【図５】本発明に係る改修外壁構造における胴縁の継ぎ部取付金具で施工する改修壁構造の開口部における施工状態を示す説明図である。
【図６】本発明に係る改修外壁構造における胴縁の継ぎ部取付金具で施工する改修壁構造の開口部におけるハット形胴縁と一般部胴縁の施工状態を示す説明図である。
【図７】本発明に係る改修外壁構造における胴縁の継ぎ部取付金具で施工する改修壁構造の開口部の状態を示す断面図である。
【図８】本発明に係る改修外壁構造における胴縁の継ぎ部取付金具で施工する改修壁構造の開口部における一般部取付金具と継ぎ部取付金具の施工状態を示す説明図である。
【図９】本発明に係る改修外壁構造における胴縁の継ぎ部取付金具で施工する改修壁構造の開口部におけるハット形胴縁と一般部胴縁の施工状態を示す説明図である。
【図１０】本発明に係る改修外壁構造における胴縁の継ぎ部取付金具で施工する改修壁構造の開口部の状態を示す断面図である。
【図１１】本発明に係る改修外壁構造における胴縁の継ぎ部取付金具で施工する改修壁構造に使用する継ぎ部取付金具の一実施例を示す斜視図である。
【図１２】本発明に係る改修外壁構造における胴縁の継ぎ部取付金具で施工する改修壁構造に使用する継ぎ部取付金具の一実施例を示す説明図である。
【図１３】本発明に係る改修外壁構造における胴縁の継ぎ部取付金具で施工する改修壁構造に使用する縦横連結金具の一実施例を示す斜視図である。
【図１４】本発明に係る改修外壁構造における胴縁の継ぎ部取付金具で施工する改修壁構造に使用する縦横連結金具の一実施例を示す説明図である。
【図１５】本発明に係る改修外壁構造における胴縁の継ぎ部取付金具で施工する改修壁構造に使用するハット形胴縁と一般部胴縁の一実施例を示す斜視図である。
【図１６】本発明に係る改修外壁構造における胴縁の継ぎ部取付金具で施工する改修壁構造に使用する新規外壁材の一実施例を示す断面図である。
【発明を実施するための形態】
【００１４】
以下に図面を用いて、本発明に係る改修外壁構造における胴縁の継ぎ部取付金具について説明する。
【００１５】
本発明に係る改修外壁構造における胴縁の継ぎ部取付金具Ｂは図１、図２（ａ）（平面図）、（ｂ）（正面図）、（ｃ）（右側面図）、（ｄ）（Ｅ−Ｅ部断面図）、（ｅ）（底面図）に示すように、垂直平面状の固定面Ｂ１と、固定面Ｂ１の上端部分を屋外側へ突出した上補強片Ｂ２と、固定面Ｂ１の途中を水平方向にかつ屋外側へ突出した立ち上がり片Ｂ３と、立ち上がり片Ｂ３の先端を下方に垂下した施工面Ｂ４と、施工面Ｂ４の下端を屋内側に突出した下補強片Ｂ５と、固定面Ｂ１の左右両端部の施工面Ｂ４の脇の位置を外方に突出した施工位置確認片Ｂ６と、固定面Ｂ１に複数個形成した固定孔Ｂ７とから形成したものである。
【００１６】
勿論、上補強片Ｂ３、施工面Ｂ４、下補強片Ｂ５の幅は、図１５（ａ）に示す胴縁Ｄの施工面Ｄ３の幅より狭く形成することにより、図４、図６、図９に示すようにハット形胴縁Ｄを施工するものである。また、図４、図６、図９に示すように施工位置確認片Ｂ６が一般部胴縁Ｄよりも外方に突出する寸法に形成するものである。
【００１７】
図３（ａ）〜（ｃ）は本発明に係る改修外壁構造における胴縁の継ぎ部取付金具を使用した改修外壁構造の施工順序を示す水平方向断面図であり、αは既存外壁材、βは固定具、Ａは一般部取付金具、Ｂは継ぎ部取付金具、Ｃは縦横連結金具、Ｄはハット形胴縁、Ｄａはハット形横胴縁、Ｄｂはハット形縦胴縁、Ｅは一般部胴縁、Ｅａは一般部横胴縁、Ｅｂは一般部縦胴縁、Ｆは防水シート（アスファルトフェルト、透湿防水シート等）、Ｇは新規外壁材である。
【００１８】
図４（ａ）〜（ｃ）〜図１０（ａ）、（ｂ）は本発明に係る改修外壁構造における胴縁の継ぎ部取付金具を使用した改修外壁構造の施工状態を示す説明図である。
【００１９】
図３（ａ）〜（ｃ）および図４（ａ）〜（ｃ）に示すように、既存外壁材α上にＡＬＣ用アンカーβ１を用いて一般部取付金具Ａを取り付けている。
【００２０】
一般部取付金具Ａは図１１、図１２（ａ）（平面図）、（ｂ）（正面図）、（ｃ）（右側面図）、（ｄ）（Ｂ−Ｂ部断面図）、（ｅ）（Ｃ−Ｃ部断面図）、（ｆ）（Ａ−Ａ部断面図）、（Ｇ）（Ｄ部拡大図）に示すように、一般部取付金具Ａは、既存外壁材α又は既存外壁材αを支持する下地に対して一般部取付金具Ａを固定するためのビスやアンカーボルトといった固定具βを取り付けるための略方形状の固定部Ａ２と、固定部Ａ２の上下方向の端部から屋外方向に立ち上げた屈曲面Ａ３と、屈曲面Ａ３の端を固定部Ａ２とほぼ平行になるように折り曲げた施工面Ａ１と、固定部Ａ２の左右方向両端部から屋外方向に立ち上げた中央片Ａ４とを有し、中央片Ａ４は施工面Ａ１の上下方向に延びる中央片延出部Ａ５を有している。
【００２１】
中央片延出部Ａ５の施工面Ａ１裏面に面する側には上部受け部Ａ６があり、一方施工面Ａ１裏面には、施工面Ａ１が既存外壁材αの側に変形しようとした際に上部受け部Ａ６と接する上部接部Ａ７がある。
【００２２】
中央片延出部Ａ５には、施工面Ａ１が、固定部Ａ２がある既存外壁材αの側から離れるような方向へ変形しようとした際に、側片Ａ８と接することでその変形を防止する下部受け部Ａ９がある。この下部受け部Ａ９と接する側片Ａ８の部位は下部接部Ａ１０とする。
【００２３】
中央片延出部Ａ５には、固定部Ａ２の中心から離れる方向に変形しようとした際に、側片Ａ８と接することでその変形を防止する側部受け部Ａ１１がある。この側部受け部Ａ１１と接する側片Ａ８の部位は側部接部Ａ１２とする。
【００２４】
側片Ａ８の下端には外方に屈曲して延設した突出片Ａ１３を形成し、一部をさらに外方に突出させた施工位置確認片Ａ１４を形成したものである。この施工位置確認片Ａ１４は図４に示すように、胴縁Ｅを一般部取付金具Ａに固定する際に、一般部取付金具Ａ上に一般部胴縁Ｅを被せた状態でも、一般部取付金具Ａの施工面Ａ１の位置が確認できる状態としたものである。
【００２５】
勿論、図６および図９に示すように位置確認片Ａ１４が胴縁Ｅよりも外方に突出する寸法に形成するものである。
【００２６】
固定部Ａ２には、ビスやアンカーボルトといった固定具βを挿入するための固定孔Ａ１５が形成されている。
【００２７】
本発明に係る改修外壁構造における胴縁の継ぎ部取付金具は、図３（ａ）〜（ｃ）〜図１０（ａ）、（ｂ）に示すように、一般部取付金具Ａ、繋ぎ部取付金具Ｂ、縦横連結金具Ｃを介して、ハット形胴縁Ｄと一般部胴縁Ｅを既存外壁材α上に固定し、その上に防水シートＦを介して新規外壁材Ｇを施工するものである。
【００２８】
図において、α1は既存アングル、β１はＡＬＣ用アンカー、β２はロングテクスビス、β３は平頭テクスビス、β４はテクスビス、Ｄはハット形胴縁、Ｄａはハット形縦胴縁、Ｄｂはハット形横胴縁、Ｅは一般部胴縁、Ｅａは一般部縦胴縁、Ｅｂは一般部横胴縁、Ｆは防水シート、Ｇは新規外壁材、Ｓはスペーサー、Ｗは開口部である。
【００２９】
縦横連結金具Ｃは図１３（ａ）、（ｂ）、図１４（ａ）（背面図）、（ｂ）（左側面図）、（ｃ）（正面図）、（ｄ）（右側面図）、（ｅ）（平面図）、（ｆ）（Ｆ−Ｆ部端面図）、（Ｇ）（Ｇ−Ｇ部端面図）に示すように、垂直平面状で略矩形の固定面Ｃ１と、固定面Ｃ１の隣り合う辺を屋外側へ突出した支持面Ｃ２と支持面Ｃ３と、他２辺の角部を屋内側に屈曲して突出した引っ掛け片Ｃ４と、固定面Ｃ１、支持面Ｃ２と支持面Ｃ３に形成した複数個の固定孔Ｃ５とから形成したものである。縦横連結金具Ｃはハット形胴縁Ｄと一般部胴縁Ｅ間を連結することにより、取付強度を向上するものである。
【００３０】
ハット形胴縁Ｄは、ハット形縦胴縁Ｄａ、ハット形横胴縁Ｄｂよりなり、図１５（ａ）に示すように、垂直平面状の固定面Ｄ１と、固定面Ｄ１の中央部を屋外方向に突出した立ち上がり片Ｄ２と、垂直平面状の施工面Ｄ３と、固定面Ｄ１に形成した固定孔Ｄ４とから形成した長尺状板材である。
【００３１】
一般部胴縁Ｅは、一般部縦胴縁Ｅａ、一般部横胴縁Ｅｂよりなり、図１５（ｂ）に示すように、垂直平面状の固定面Ｅ１と、固定面Ｅ１の一端を屋外側に突出した立ち上がり片Ｅ２と、立ち上がり片Ｅ２の先端を上方に突出した施工面Ｅ３と、施工面Ｅ３の上端を屋内側に突出した支持片Ｅ４とから形成した長尺状板材である。
【００３２】
一般部取付金具Ａ、継ぎ部取付金具Ｂ、縦横連結金具Ｃ、ハット形胴縁Ｄ、一般部胴縁Ｅの材質としては、例えば溶融亜鉛−アルミニウム−マグネシウム合金めっき等の高耐蝕性の鋼材やアルミやステンレスといった金属製のものがあるが、特に材質は限定されるものではない。一般的には金属製のものが主であるため金具と表記しているが、金属製のものでなくてもよい。
【００３３】
図５、図８に示すように、一般部に形成する一般部取付金具Ａ、継ぎ部取付金具Ｂは既存外壁材αであるＡＬＣの幅方向中心に一般部取付金具Ａ、継ぎ部取付金具Ｂを固定することで、地震時のＡＬＣのスライド現象（ドライロッキング構法の場合）にハット形胴縁Ｄ、一般部胴縁Ｅ、新規外壁材Ｇが追従するＡＬＣ改修工法となるものである。
【００３４】
また、図５〜図１０に開口部Ｗ（図示しないが出隅部）の伸縮目地Ｍを、ハット形胴縁Ｄ、一般部胴縁Ｅで繋がないように形成することにより、地震時の変形に追従できるようにし、耐震性を向上するものである。
【００３５】
また、図６、図９示すように開口部左右の既存外壁材α上に一般部横胴縁Ｅｂを形成する場合には、開口部Ｗの左面既存外壁材αにハット形縦胴縁Ｄａを形成して地震時の揺れに対して一般部横胴縁Ｅｂが追従できるように形成し、開口部Ｗの右面既存外壁材αに対しては一般部横胴縁Ｅｂを分断し、開口部Ｗの右脇に形成した一般部縦胴縁Ｅａが地震時の揺れに対して追従できるように形成したものである。このように形成することにより、地震等の揺れに対して既存外壁材αが破損することなく、改修壁構造の下地を形成できるものである。
【００３６】
新規外壁材Ｇの一例としては、図１６に断面を示すように、長尺で金属製の薄板からなる金属製表面材Ｇ１と裏面材Ｇ２間に芯材Ｇ３をサンドイッチした金属製外壁材である。また、Ｇ４は新規外壁材Ｇを固定するための固定面である。勿論、窯業系、樹脂系の新規外壁材Ｇを使用できるものである。
【００３７】
金属製表面材Ｇ１と裏面材Ｇ２は金属薄板、例えば鉄、アルミニウム、銅、ステンレス、チタン、アルミ・亜鉛合金メッキ鋼板、ガルバリウム鋼板、ホーロー鋼板、クラッド鋼板、ラミネート鋼板（塩ビ鋼板等）、サンドイッチ鋼板（制振鋼板等）、塩化ビニル樹脂、ポリカーボネイト樹脂等（勿論、これらを各種色調に塗装したカラー板を含む）の一種をロール成形、プレス成形、押出成形等によって各種形状に成形したもの、あるいは無機質材を押出成形、プレス成形、オートクレーブ養生成形等して各種任意形状に形成したものである。また、裏面材Ｇ２としてはアルミニウム蒸着紙、クラフト紙、アスファルトフェルト、金属箔（Ａｌ、Ｆｅ、Ｐｂ、Ｃｕ）、合成樹脂シート、ゴムシート、布シート、石膏紙、水酸化アルミ紙、ガラス繊維不織布等の１種、または２種以上をラミネートしたもの、あるいは防水処理、難燃処理されたシート状物からなるものでも良いものである。
【００３８】
芯材Ｇ３は例えばポリウレタンフォーム、ポリイソシアヌレートフォーム、フェノールフォーム、塩化ビニルフォーム、ポリエチレンフォーム、ポリスチレンフォーム、ユリアフォーム等、の合成樹脂発泡体からなるものであり、特に耐火性を必要とする場合にはレゾール型フェノールの原液と、硬化剤、発泡剤を混合し、表面材１、もしくは裏面材２の裏面側に吐出させ、加熱して反応・発泡・硬化させて形成したものである。また、芯材３中には各種難燃材として軽量骨材（パーライト粒、ガラスビーズ、石膏スラグ、タルク石、シラスバルーン、水酸化アルミニウム等）、繊維状物（グラスウール、ロックウール、カーボン繊維、グラファイト等）を混在させ、耐火性、防火性を向上させることも出来る。勿論、芯材３としてロックウール、グラスウール、セラミックウール等の無機材を使用しても良いものである。
【００３９】
次に、図３（ａ）〜（ｃ）〜図１０（ａ）、（ｂ）を用いて、本発明に係る改修外壁構造における胴縁の継ぎ部取付金具を使用した改修外壁構造の施工順序について説明する。
【００４０】
図１６に示すような新規外壁材Ｇを既存外壁材α上に施工すると場合に、既存外壁材α上に、ハット形胴縁Ｄ、ハット形縦胴縁Ｄ１、ハット形横胴縁Ｄ２、一般部胴縁Ｅ、一般部縦胴縁Ｅ１、一般部横胴縁Ｅ２を施工する位置に合わせて、一般部取付金具Ａ、継ぎ部取付金具ＢをＡＬＣ用アンカーβ１、ロングテクスビスβ２を用いて固定する。なお、既存外壁材αの不陸調整のために、スペーサーＳを形成するものである。
【００４１】
次に、施工された一般部取付金具Ａと継ぎ部取付金具Ｂに対して、ハット形胴縁Ｄ、ハット形縦胴縁Ｄ１、ハット形横胴縁Ｄ２、一般部胴縁Ｅ、一般部縦胴縁Ｅ１、一般部横胴縁Ｅ２を平頭テクスビスβ３により打設し、固定する。また、図６、図９に示すように必要部位には縦横連結金具Ｃを平頭テクスビスβ３により打設し、固定するものである。
【００４２】
ハット形胴縁Ｄ、ハット形縦胴縁Ｄ１、ハット形横胴縁Ｄ２、一般部胴縁Ｅ、一般部縦胴縁Ｅ１、一般部横胴縁Ｅ２の施工が完了したら、全面に防水シートＦを施工し、最後に図１５に断面を示す長尺状の新規外壁材Ｇを縦に施工して施工を完了するものである。
【００４３】
なお、図３（ａ）〜（ｃ）、図４（ａ）〜（ｃ）は一般部を示す説明図、図５〜１０図（ａ）、（ｂ）は開口部Ｗ部分の施工状態を示す説明図である。
【００４４】
特に、図５〜図７（ａ）、（ｂ）は既存外壁材αに既存アングルα１が存在する場合、図６〜図８（ａ）、（ｂ）は既存外壁材αに既存アングルα１が存在しない場合の施工状態を示すものである。
【符号の説明】
【００４５】
α  既存外壁材
α１  既存アングル
β  固定具
β１  ＡＬＣ用アンカー
β２  ロングテクスビス
β３  平頭テクスビス
β４  テクスビス
Ａ  一般部取付金具
Ｂ  継ぎ部取付金具
Ｃ  縦横連結金具
Ｄ  ハット形胴縁
Ｄａ  ハット形縦胴縁
Ｄｂ  ハット形横胴縁
Ｅ  一般部胴縁
Ｅａ  一般部縦胴縁
Ｅｂ  一般部横胴縁
Ｆ  防水シート
Ｇ  新規外壁材
Ｍ  伸縮目地
Ｓ  スペーサー
Ｗ  開口部
Ａ１  施工面
Ａ２  固定部
Ａ３  屈曲面
Ａ４  中央片
Ａ５  中央片延出部
Ａ６  上部受け部
Ａ７  上部接部
Ａ８  側片
Ａ９  下部受け部
Ａ１０  下部接部
Ａ１１  側部受け部
Ａ１２  側部接部
Ａ１３  突出片
Ａ１４  施工位置確認片
Ａ１５  固定孔
Ｂ１  固定面
Ｂ２  上補強片
Ｂ３  立ち上がり片
Ｂ４  施工面
Ｂ５  下補強片
Ｂ６  施工位置確認片
Ｂ７  固定孔
Ｃ１  固定面
Ｃ２  支持面
Ｃ３  支持面
Ｃ４  引っ掛け片
Ｃ５  固定孔
Ｄ１  固定面
Ｄ２  立ち上がり片
Ｄ３  施工面
Ｄ４  固定孔
Ｅ１  固定面
Ｅ２  立ち上がり片
Ｅ３  施工面
Ｅ４  支持片
Ｇ１  金属製表面材
Ｇ２  裏面材
Ｇ３  芯材
Ｇ４  固定面
【図１】
2020147947.tif 000003
【図２】
2020147947.tif 000004
【図３】
2020147947.tif 000005
【図４】
2020147947.tif 000006
【図５】
2020147947.tif 000007
【図６】
2020147947.tif 000008
【図７】
2020147947.tif 000009
【図８】
2020147947.tif 000010
【図９】
2020147947.tif 000011
【図１０】
2020147947.tif 000012
【図１１】
2020147947.tif 000013
【図１２】
2020147947.tif 000014
【図１３】
2020147947.tif 000015
【図１４】
2020147947.tif 000016
【図１５】
2020147947.tif 000017
【図１６】
2020147947.tif 000018